(57)【要約】【課題】  液晶の表示有効画面面積の拡大をはかり、大型の液晶を利用することによる本来の演出効果を発揮させる。【解決手段】  クレジット枚数、メダル獲得枚数、大当たり回数を表示する表示デバイス、あるいは、ベット、リプレイ、大当たり報知、エラー表示のためのランプが実装された中央表示基板１０３ｄを、上部パネル等、演出用液晶表示装置１０６の配置を妨げない位置に配置することで、中央表示基板の存在により大型液晶が持つ表示有効画面面積を狭めざるを得ない状況を回避する。【選択図】図１
2005143939.tif 000002
【特許請求の範囲】
【請求項１】
ゲームを開始するスタートレバーの操作により、図柄が描かれた回転リールが回胴し、停止ボタンの操作により前記回転リールが停止するように構成され、
遊技者の前面に位置する前扉において、前記スタートレバー及び停止ボタンが配置されている操作部より上方に、大型の演出表示装置を備える回胴式遊技機において、
上記遊技機の遊技情報である、クレジット枚数、メダル獲得枚数、大当たり回数の少なくとも一つを表示する表示デバイスが実装された中央表示基板を、上記演出表示装置の配置を妨げない位置に配置することを特徴とする遊技機。
【請求項２】
前記中央表示基板に、更に、ベット、リプレイ、大当たり報知、エラー表示のためのランプを少なくとも一つ実装することを特徴とする請求項１に記載の遊技機。
【請求項３】
前記中央表示基板を前記前扉の上部に配置し、前記操作部と前記中央表示基板との間に、大型の演出表示装置を配置するように構成したことを特徴とする請求項１，２記載の遊技機。
【請求項４】
前記中央表示基板は、前記表示デバイスもしくはランプ、およびその表示駆動回路から成り、当該表示基板を、前記クレジット枚数、メダル獲得枚数、大当たり回数のカウントを含む遊技処理動作を制御するメイン基板により制御することを特徴とする請求項１、２、３に記載の遊技機。
【発明の詳細な説明】
【技術分野】
【０００１】
本発明は、演出用の大型表示装置、例えば２０インチの大型液晶装置を備えた回胴遊技機に関する。
【背景技術】
【０００２】
遊技機として、例えば、特許文献１に開示されたスロットマシンが知られている。スロットマシンには、同文献１の図１に示されているように、本体部前面に３列のリール１９ａ，１９ｂ，１９ｃを有するリール機構が組み込まれ、これらリール１９ａ，１９ｂ，１９ｃの上方に、演出表示を行うための表示装置としての表示パネル（ＥＬランプ）３が設けられている。また、最近では、ＥＬランプの代わりに液晶装置を用いることで一層演出効果を高めている。
【０００３】
かかる構成において、遊技者により回転開始のスタートレバーが押下されると、ゲーム開始となり、リール１９ａ，１９ｂ，１９ｃを所定速度で回転させ、次に停止ボタンが押下されると、リール１９ａ，１９ｂ，１９ｃを順次停止させる。そして、停止した３個のリール１９ａ，１９ｂ，１９ｃに描かれている特定の絵柄（例えば、数字の７）が入賞ライン上に揃うと「大当り」となり、表示パネル３に同文献１の図４に示されている表示を行うことによって大当たりが出たことを知らせ、遊技者に対し快感を与えるようにしている。
【０００４】
【特許文献１】特開２００１−１７０２５０号公報
【発明の開示】
【発明が解決しようとする課題】
【０００５】
近年、上記したスロットマシンにおいては演出表示装置の多様化が顕著になってきている。遊技者は通常遊技、演出効果を高めるために表示パネルに大型の液晶表示装置が使用されるようになり、演出が多様化してきた。
一方、クレジットの貯留枚数表示、メダル獲得枚数表示、大当り回数表示、ベット、リプレイ、大当たり報知、エラー表示のための表示装置が実装される中央表示基板は、通常、ストップボタン等操作部の上部に配置され、遊技者はその表示内容、例えば、残クレジット数等を確認しながら遊技している。
【０００６】
しかしながら、上記した大型の液晶表示装置を、現状に従い遊技者によって注視される筐体前面に配置した場合、上記した中央表示基板の存在により、液晶の表示有効画面面積を狭めざるを得なかった。このため、大型液晶装置が本来持つ演出効果を十分に発揮させることができなかった。
【０００７】
本発明は上記事情に鑑みてなされたものであり、上記した中央表示基板を大型液晶の配置に妨げのない前面位置に配置することにより、大型の液晶を利用することによる本来の演出効果を発揮させることのできる遊技機を提供することを目的とする。
【課題を解決するための手段】
【０００８】
請求項１に記載の発明は、ゲームを開始するスタートレバーの操作により、図柄が描かれた回転リールが回胴し、停止ボタンの操作により前記回転リールが停止するように構成され、遊技者の前面に位置する前扉において、前記スタートレバー及び停止ボタンが配置されている操作部より上方に、大型の演出表示装置を備える回胴式遊技機において、上記遊技機の遊技情報である、クレジット枚数、メダル獲得枚数、大当たり回数の少なくとも一つを表示する表示デバイスが実装された中央表示基板を、上記演出表示装置の配置を妨げない位置に配置することを特徴とする。
【０００９】
請求項２に記載の発明は、前記中央表示基板に、更に、ベット、リプレイ、大当たり報知、エラー表示のためのランプを少なくとも一つ実装することを特徴とする。
【００１０】
請求項３に記載の発明において、前記中央表示基板を前記前扉の上部に配置し、前記操作部と前記中央表示基板との間に、大型の演出表示装置を配置するように構成したことを特徴とする。
【００１１】
請求項４に記載の発明において、前記中央表示基板は、前記表示デバイスもしくはランプ、およびその表示駆動回路から成り、当該表示基板を、前記クレジット枚数、メダル獲得枚数、大当たり回数のカウントを含む遊技処理動作を制御するメイン基板により制御することを特徴とする。
【発明の効果】
【００１２】
本発明によれば、例えば、クレジット枚数、メダル獲得枚数、大当たり回数を表示する表示デバイスが実装された表示基板を、リール上部等、演出用液晶表示装置の配置を妨げない位置に配置することで、中央表示基板の存在により大型液晶が持つ表示有効画面面積を狭めざるを得ない状況を回避でき、大型液晶を使用したことによる演出効果を十分に発揮させることができる。
【発明を実施するための最良の形態】
【００１３】
以下、本発明の好適な実施形態として、遊戯場等に設置される回胴式遊技機（以下「スロットマシン」という）について、図１ないし図５を参照して説明する。
なお、図１は、本スロットマシン１００の外部構造を表した平面図、図２は、本スロットマシン１００の上部パネルに配置された中央表示基板の一例を表した図、図３は、本スロットマシン１００の内部構造を表した平面図、図４は、本スロットマシン１００に設けられている制御システムの構成を示したブロック図、図５は、ＬＥＤ（Light Emitted Diode）、ランプ等が実装される中央表示基板１０３ｄの内部構成を示すブロック図である。
【００１４】
図１において、本スロットマシン１００は、遊技者に面するフロントドア１０１と、フロントドア１０１が開閉可能に取り付けられた箱形形状の筐体１０２とを備えて構成されている。
フロントドア１０１は、基本的に、金属製のフレーム（図示略）に硬質プラスチック等で成形された前面パネルが取り付けられた機械的に強固な構造を有し、当該前面パネルによって、上部パネル部１０３と中部パネル部１０４と下部パネル部１０５が構成されている。
【００１５】
上部パネル部１０３には、演出用ランプ１０３ａと、スピーカが取り付けられた放音部１０３ｂ，１０３ｃと、ＬＥＤやランプ類が実装される中央表示基板１０３ｄが取り付けられている。図２にその実装の一例が示されている。
図２に示されるように、中央表示基板１０３ｄには、クレジット枚数（CREDIT）、メダル獲得枚数（GAME COUNT）、大当たり回数（WIN）を表示するためのＬＥＤが実装される。本発明は、この中央表示基板１０３ｄを、後述する演出用液晶表示装置（透明液晶パネル１０６）の配置を妨げない位置、例えば、上部パネル１０３に配置することを特徴とする。また、ここでは図示されていないが、中央表示基板１０３ｄには、更に、ベットランプ、リプレイランプ、大当たり報知（WINランプ）、エラー表示のためのランプも実装される。なお、ベットランプは、ゲームを行うために賭けられたメダルの数（ベット数）に応じて点灯される。
【００１６】
また、中部パネル部１０４には、複数個（本実施形態では３個）の回胴リールＲ１，Ｒ２，Ｒ３を備えた回胴リール装置２００が略中央の位置に設けられている。また、回胴リール装置２００の前面に、略長方形のリール表示窓を持つ液晶表示パネル１０６（ここでは透明液晶）が実装されている。液晶表示パネル１０６は、リール表示窓によって回胴リール装置２００を外部から保護すると共に、遊技者がリール表示窓を介して回胴リールＲ１，Ｒ２，Ｒ３を見ることが可能となっている。
透明液晶は、薄膜トランジスタ層が形成されたガラス板等の透明基板と、これに対向する透明な基板間に液晶が封入されて形成される。透明液晶は、表示面側に光が透過し、透過した光が外部から視認される構造を持つ。この構造を採用することで、液晶を駆動していなくてもリール表示窓を介して回胴リールＲ１，Ｒ２，Ｒ３を視認することができるようになっている。
【００１７】
中部パネル部１０４の下端には、遊技者が操作するための操作部１０４ａが備えられ、遊技用メダルを投入するためのメダル投入部ＭＤが備え付けられている。また、操作部１０４ａの操作面上に、１ゲーム当たりのメダル数を提示するためのベットボタンＢＥＴ（Ｂ１，Ｂ２，Ｂ３）が設けられ、更にその前面には、１ゲームの開始を指示するためのスタートレバーＳＴと、回転中の回胴リールＲ１，Ｒ２，Ｒ３を個別に停止させるための３個のストップボタンＳＰ１，ＳＰ２，ＳＰ３が割付けられている。
なお、このうち、ストップボタンＳＰ１，ＳＰ２，ＳＰ３は、回胴リールＲ１，Ｒ２，Ｒ３の位置にそれぞれ対応付けて配置されるものとする。
【００１８】
更に、下部パネル部１０５には、本スロットマシン１００のゲーム内容に関連した画像等（図示略）が描かれており、遊技者の獲得したメダルを払い出すための排出口１０５ａ及び受皿１０５ｂと、スピーカが設けられた放音部１０５ｃが設けられている。
【００１９】
次に、図２を参照して、フロントドア１０１の裏面構造と、筐体１０２の内部構造を説明する。図２はフロントドア１０１を開錠して筐体１０２から開いた状態を表している。
同図において、フロントドア１０１の裏面上部に、放音部１０３ｂ，１０３ｃを構成するスピーカＳＲ，ＳＬが設けられている。
【００２０】
更に、回胴リール装置２００下部には、メダル投入部ＭＤより投入される投入物を正規の遊技用メダルか異物か判別して振り分ける振分機構Ｇ０と、振分機構Ｇ０で振り分けられた遊技用メダルを筐体１０２側に設けられているホッパ装置ＨＰへ案内するガイド部材Ｇ１と、振分機構Ｇ０で振り分けられた異物を排出口１０５ａへ案内して排出するガイド部材Ｇ２と、ホッパ装置ＨＰから出力される払い出し用のメダルを排出口１０５ａへ案内して出力するガイド部材Ｇ３が設けられ、更に排出口１０５ａの近傍に、スピーカＳＷが放音部１０５ｃに対応させて取り付けられている。
【００２１】
筐体１０２内には、主電源装置ＰＷＵと、ホッパ装置ＨＰから溢れた遊技用メダルを収容するための補助貯留部ＳＨＰと、フロントドア１０１側の透過窓ＷＤに対向する回胴リールＲ１，Ｒ２，Ｒ３を備えた回胴リール装置２００と、本スロットマシン１００の動作全体を集中制御する電気回路基板等を備えた主制御ユニット４００が設けられている。
【００２２】
ここで、主制御ユニット４００は、図４のブロック図に示すように、スロットマシン１００の動作全体を管理するシステムプログラム及びスロットマシンゲーム用の実行プログラムが予め記憶されている半導体メモリ等で形成された記憶部と、これらのプログラムを実行する図示せぬマイクロプロセッサとを有するメイン制御基板４００ａを備える。
また、メイン制御基板４００ａが搭載されている電気回路基板とは夫々別個の電気回路基板で形成され、メイン制御基板４００ａからの指令に従って分散制御を行うサブ制御基板４００ｂおよび回胴リール制御部４００ｃ、そして、上記した中央表示基板１０３ｄ、入出力ポート４００ｄを備えて構成されている。
【００２３】
上記した構成において、遊技者が操作部１０４ａに配置されたベットボタンＢＥＴ（Ｂ１，Ｂ２，Ｂ３）およびスタートレバーＳＴを操作することにより遊技が開始され、適当なタイミングでストップボタンＳＰ１，ＳＰ２，ＳＰ３（３００）を順次操作することにより、抽選が開始される。これら操作内容は入力ポート４００ｄを介して取り込まれ、また、メイン制御基板４００ａによって抽選を含む大当たり制御が実行され、その結果は、中央表示基板１０３ｓに供給される。中央表示基板１０３ｄは、メイン制御基板４００ａによる制御の下、接続されるＬＥＤ、ランプ等の表示デバイス５００の表示、あるいは点灯制御を行う。
【００２４】
中央表示基板１０３ｄの内部構成等、詳細は図５に示されている。図５に示されるように、中央表示基板１０３ｄは、出力ポート４００ｅを介してメイン制御基板４００ａに接続され、表示駆動回路４０１を介し、７セグメントＬＥＤで構成される、払い出し枚数表示部５０１、クレジット枚数表示部５０２、ボーナス回数（大当たり回数）表示部５０３が、ランプ駆動回路４０２を介し、ベットランプ５１１、リプレイランプ５１２、大当たりランプ５１３、エラーランプ５１４が接続される。
上記した構成において、メイン制御基板４００ａによって生成される指令に基づき表示駆動回路４０１、あるいはランプ駆動回路４０２は、出力ポート４００ｅを介して駆動され、抽選結果に従い各表示部５０１〜５０３によって表示される内容を更新し、あるいはランプ５１１〜５１４のうち、いずれかを点灯制御する。それぞれのＬＥＤあるいはランプが意味する内容は上記したとおりである。
【００２５】
また、振分機構Ｇ０とホッパ装置ＨＰは、入出力ポート４００ｇ，４００ｈを介してメイン制御基板４００ａに接続され、制御される。更に、サブ制御基板４００ｂは、音響制御部４００ｉと、照明制御部４００ｊおよび表示装置制御部４００ｋを備え、音響制御部４００ｉにはスピーカＳＬ，ＳＲ，ＳＷが、照明制御部４００ｊには演出用ランプ１０３ａ，１０４ａ，１０４ｂが、そして、表示装置制御部４００ｋには演出用の液晶表示パネル１０６が接続されている。
【００２６】
そして、ゲームの進行等に応じてメイン制御基板４００ａから指令される演出制御の内容に従って、音響制御部４００ｉはスピーカＳＬ，ＳＲ，ＳＷによる音響演出の制御、照明制御部４００ｊは演出用ランプ１０３ａ，１０４ａ，１０４ｂによる照明演出の制御、表示装置制御部４００ｋは液晶表示装置１０３ｄによる演出表示の制御を行う。
また、回胴リール制御部４００ｃは、回胴リール装置２００に設けられている電動モータ（図示略）を制御し、回胴リールＲ１，Ｒ２，Ｒ３の回転と制動及び停止の制御を行う。
【００２７】
以上説明のように本発明は、クレジット枚数、メダル獲得枚数、大当たり回数、の少なくとも一つを表示する表示デバイス、あるいは、ベット、リプレイ、大当たり報知、エラー表示のための少なくとも一つのランプが実装された中央表示基板１０３ｄを、例えば、上部パネル１０３等、演出用の液晶表示パルネ１０６の配置を妨げない位置に配置することで、大型の液晶を利用することによる本来の演出効果を発揮させることのできる遊技機を提供するものである。
【図面の簡単な説明】
【００２８】
【図１】本発明の実施形態に係るスロットマシンの外観構造を概略的に表した平面図である。
【図２】本発明の実施形態に係るスロットマシンの上部パネルに配置された中央表示基板の一例を表した図である。
【図３】図１に示したスロットマシンの内部構造を概略的に表した平面図である。
【図４】本発明の実施形態に係るスロットマシンの制御システムの構成を示したブロック図である。
【図５】本発明の実施形態に係るスロットマシンの中央表示基板の内部構成を示すブロック図である。
【符号の説明】
【００２９】
１００    スロットマシン
１０３ｄ  中央表示基板
１０６    液晶表示パネル（透明液晶）
４００ａ  メイン制御基板
５０１    払い出し枚数表示部
５０２    クレジット枚数表示部
５０３    ボーナス回数表示部
５１１    ベットランプ
５１２    リプレイランプ
５１３    大当たりランプ
５１４    エラーランプ
【図１】
2005143939.tif 000003
【図２】
2005143939.tif 000004
【図３】
2005143939.tif 000005
【図４】
2005143939.tif 000006
【図５】
2005143939.tif 000007